(57)【要約】【課題】従来の性能は維持しつつ樹脂量の削減を図ることができ、環境保護及びコスト削減に優れる新たなトリガー式液体噴出器を提供する。【解決手段】本発明のトリガー式液体噴出器１は、本体部３に揺動可能に保持される操作レバー６と、操作レバー６に復元力を付与するバネ部材７とを備え、バネ部材７は、本体部３に固定保持される基部７ａと、一端部７ｆが基部７ａに連結するとともに他端部７ｇが操作レバー６に当接して操作レバー６の牽曳によって弾性変形するアーム７ｂとを有し、操作レバー６は、初期姿勢から牽曳姿勢に変位されることでアーム７ｂの他端部７ｇをその一端部７ｆに向けて押し付ける押圧部６ｈを有することを特徴とする。【選択図】図１
2015047552.tif 000002
【特許請求の範囲】
【請求項１】
本体部に揺動可能に保持される操作レバーと、該操作レバーに復元力を付与するバネ部材とを備え、該操作レバーを繰り返し牽曳することにより該本体部に設けたポンプを駆動させ容器内の内容液を吸引、加圧、圧送してノズルから噴出させるトリガー式液体噴出器であって、
前記バネ部材は、前記本体部に固定保持される基部と、一端部が該基部に連結するとともに他端部が前記操作レバーに当接して該操作レバーの牽曳によって弾性変形するアームとを有し、
前記操作レバーは、初期姿勢から牽曳姿勢に変位されることで該アームの他端部をその一端部に向けて押し付ける押圧部を有するトリガー式液体噴出器。
【請求項２】
前記基部は、前記アームを間隔をあけて一対備える横架部材と、該横架部材に連結するとともに該アームとは反対方向に突出して前記本体部に係止される一対の爪片とからなる請求項１に記載のトリガー式液体噴出器。
【発明の詳細な説明】
【技術分野】
【０００１】
本発明は、トリガー式液体噴出器に関するものであり、特に、噴出器のポンプを駆動させるための操作レバーに対して復元力を付与するバネ部材に関する。
【背景技術】
【０００２】
黴取り剤や洗剤、衣料用糊剤、住居用ワックス、整髪剤、芳香剤等の内容液を入れた容器においては、容器の口部に装着され、操作レバーを牽曳することによって本体部に設けたポンプを駆動して容器内の液体を直線状、霧状あるいは泡状にして噴射させるトリガー式液体噴出器が多用されており（例えば特許文献１参照）、これにより内容液の効率的な供給を可能にしている。
【０００３】
かかる噴出器は、図５に示すように、操作レバー１００（特許文献１ではトリガー）と、牽曳した操作レバー１００を元の位置に戻すために復元力を付与するバネ部材２００（特許文献１では復帰バネ）とを備えている。操作レバー１００は、バネ部材２００によって揺動自在に支持される枢支軸１０１と、ポケット１０２とを備えていて、バネ部材２００は、他部材との固定部２０１、２０２を前後に有する基部２０３に、左右で一対のバネ片２０４を備えていて、バネ片２０４は、２条の湾曲細片２０５、２０６と、ポケット１０２に収容されて操作レバー１００に弾性力を付与する下端部２０７とで構成されている。
【先行技術文献】
【特許文献】
【０００４】
【特許文献１】特開平１１−２９０７３１号公報
【発明の概要】
【発明が解決しようとする課題】
【０００５】
ところで近年は、環境保護及びコスト削減の見地から使用する樹脂量をできるだけ減らすことが強く求められていて、このことは上述の噴出器が属する分野においても例外ではない。例えば図５に示す噴出器では、２つの湾曲細片２０５、２０６を弾性変形させることで必要な復元力を得ているが、より効果的に復元力を得ることが可能になれば、復元力を発現させる部位を縮小化或いは削除することができるので、その分の樹脂量を削減することが可能となる。
【０００６】
本発明の目的は、従来の性能は維持しつつ樹脂量の削減を図ることができ、これにより環境保護及びコスト削減に優れた新たなトリガー式液体噴出器を提案するところにある。
【課題を解決するための手段】
【０００７】
本発明は、本体部に揺動可能に保持される操作レバーと、該操作レバーに復元力を付与するバネ部材とを備え、該操作レバーを繰り返し牽曳することにより該本体部に設けたポンプを駆動させ容器内の内容液を吸引、加圧、圧送してノズルから噴出させるトリガー式液体噴出器であって、
前記バネ部材は、前記本体部に固定保持される基部と、一端部が該基部に連結するとともに他端部が前記操作レバーに当接して該操作レバーの牽曳によって弾性変形するアームとを有し、
前記操作レバーは、初期姿勢から牽曳姿勢に変位されることで該アームの他端部をその一端部に向けて押し付ける押圧部を有するトリガー式液体噴出器である。
【０００８】
前記基部は、前記アームを間隔をあけて一対備える横架部材と、該横架部材に連結するとともに該アームとは反対方向に突出して前記本体部に係止される一対の爪片とからなるのであることが好ましい。
【発明の効果】
【０００９】
本体部に揺動可能に保持される操作レバーに対して復元力を付与するバネ部材を、本体部に固定保持される基部と、一端部が基部に連結するとともに他端部が操作レバーに当接して操作レバーの牽曳によって弾性変形するアームとで構成し、操作レバーに、初期姿勢から牽曳姿勢に変位されることでアームの他端部をその一端部に向けて押し付ける押圧部を設けたので、操作レバーの牽曳に伴い弾性変形するアームには、一端部を中心に他端部が回転方向に移動する際の回転方向の弾性力と、他端部が一端部に近づくことで得られる半径方向の弾性力の両方が加わることとなる。これにより、より大きな弾性力を得ることが可能となり、従来のように２つの湾曲細片を設ける必要がなくなるため、樹脂量を削減することができる。
【００１０】
バネ部材の基部を、一対のアームを備える横架部材と、横架部材に連結するとともにアームとは反対方向に突出して本体部に係止される一対の爪片とからなるものとする場合は、基部においても樹脂量を減らすことができる。
【図面の簡単な説明】
【００１１】
【図１】本発明に従うトリガー式液体噴出器の一実施形態を示す、側面視での断面図である。
【図２】図１に示す操作レバーに関し、（ａ）は正面図であり、（ｂ）は側面図であり、（ｃ）は平面図である。
【図３】図１に示すバネ部材に関し、（ａ）は正面図であり、（ｂ）は側面図であり、（ｃ）は平面図である。
【図４】図１に示す実施形態に関し、バネ部材により得られる操作レバーの復元力について説明する図である。
【図５】従来のトリガー式液体噴出器に関し、要部を示す斜視図である。
【図６】図５に示す噴出器に関し、バネ部材により得られる操作レバーの復元力について説明する図である。
【発明を実施するための形態】
【００１２】
以下、図面を参照して、本発明をより具体的に説明する。なお、本願明細書、特許請求の範囲、要約書、及び図面では、後述するカバーの頂壁が位置する側を上方（図１における上側）とし、装着キャップが設けられる側を下方（図１における下側）とする。また、ノズルが設けられる側を前方（図１における左側）とし、その反対側を後方（図１における右側）とする。また、上下方向及び前後方向に対して直交する方向（図１における紙面に垂直な方向）を側方とする。
【００１３】
図１における符号１は、トリガー式液体噴出器の一実施形態を示す。トリガー式液体噴出器１は、容器Ｃの口部に取り付けられる装着キャップ２と、装着キャップ２を回転自在且つ抜け出し不能に保持するとともに、容器Ｃ内の内容液を吸引、加圧、圧送するポンプを備える本体部３と、本体部３に連結するとともに容器Ｃの底部に向けて延び、ポンプの駆動にて容器Ｃ内の内容液を吸い上げるパイプ４と、本体部３の前方に設けられ、内容液を外界に向けて噴出させるノズル５と、本体部３に揺動可能に保持され、牽曳を繰り返すことでポンプを駆動させる操作レバー６と、操作レバー６に復元力を付与するバネ部材７と、本体部３の上方及び側方を覆うカバー８とを備えている。
【００１４】
装着キャップ２は、円筒状となる側壁２ａの内面に、容器Ｃの口部に設けたねじ部に適合するねじ部２ｂを有している。また、側壁２ａの上方には、中央部に上部開口２ｃを有する天壁２ｄが設けられていて、天壁２ｄにおける上部開口２ｃの縁部には、径方向内側に向かって下向きに傾斜する天壁テーパ部２ｅが設けられている。
【００１５】
本実施形態において本体部３は、複数の部材から構成されていて、装着キャップ２は、その一つをなすボディ３０に取り付けられる。ボディ３０の下方には、上部開口２ｃに挿通される円筒状の連結筒部３０ａが設けられていて、連結筒部３０ａの外周面には、径方向外側に延在するフランジ３０ｂが設けられている。また、フランジ３０ｂの外縁部上面には、径方向外側に向かって下向きに傾斜するフランジテーパ部３０ｃが設けられている。また連結筒部３０ａの上方には、連結筒部３０ａに対して後方に偏心するとともに連結筒部３０ａよりも小径となる縦筒３０ｄが設けられていて、縦筒３０ｄの上方には、前方に向けて延在する横筒３０ｅが設けられている。ここで縦筒３０ｄの内部と横筒３０ｅの内部通路とは、穴Ｈａを介してつながっている。また横筒３０ｅの前方側には、上方及び側方に延在する板状壁３０ｆが設けられ、板状壁３０ｆには、前方に向けて突出する円柱部３０ｇ、及び円柱部３０ｇの径方向外側に位置する円筒部３０ｈが設けられている。また、横筒３０ｅの両側方には、隙間をあけて横筒３０ｅを間に挟む一対のサイド壁３０ｉが設けられている。対をなすサイド壁３０ｉ同士は、本実施形態では総計二つの補強リブ３０ｊでつながっている。また、サイド壁３０ｉには、側面視にてＵ字状をなす上方開放の溝部３０ｋが設けられている。そして、横筒３０ｅの下方には、縦筒３０ｄから前方に向けて突出する円筒状の嵌合壁３０ｍが設けられていて、嵌合壁３０ｍの径方向内側には、円筒状をなすとともに縦筒３０ｄからの突出量が嵌合壁３０ｍよりも少なくなるように形成され、またその先端部が後述する吐出弁体と当接する吐出弁座３０ｎが設けられている。また、嵌合壁３０ｍと吐出弁座３０ｎとの相互間には、縦筒３０ｄを貫く穴Ｈｂが設けられ、吐出弁座３０ｎの内側には、縦筒３０ｄを貫く穴Ｈｃが設けられている。更に、嵌合壁３０ｍには、その内外を連通させる穴Ｈｄが設けられている。
【００１６】
また、縦筒３０ｄ内には、円筒状のインテイク３１が設けられている。インテイク３１の下方には、径方向外側に延在するフランジ３１ａが設けられていて、フランジ３１ａには、嵌合壁３０ｍに設けた穴Ｈｄに連通する穴Ｈｅが設けられている。また、インテイク３１の下端には、前述のパイプ４が嵌合保持されている。更にインテイク３１の内部通路の中間部には、その内部通路を上部及び下部に区画する隔壁３１ｂが設けられている。そして隔壁３１ｂの下方には、穴Ｈｃに連通する穴Ｈｆが設けられ、隔壁３１ｂの上方には、穴Ｈｂに連通する穴Ｈｇが設けられている。更にインテイク３１の上方には、段状に形成されて後述する吸い上げ弁体と当接する吸い上げ弁座３１ｃが設けられ、更に吸い上げ弁座３１ｃの上方には、穴Ｈａに連通する穴Ｈｈが設けられている。
【００１７】
そして、インテイク３１の上方には、吸い上げ弁３２が設けられている。吸い上げ弁３２は、吸い上げ弁座３１ｃに着座する平板状の吸い上げ弁体３２ａと、側面視にて環状をなし、吸い上げ弁体３２ａに対して常時下方へ向かう付勢力を作用させる弾性部３２ｂを備えている。
【００１８】
また、嵌合壁３０ｍの内側には、シリンダー部材３３が設けられている。シリンダー部材３３は、嵌合壁３０ｍに嵌合保持される円筒状のシリンダー筒３３ａと、シリンダー筒３３ａの径方向内側に設けられる円筒状の区画筒３３ｂとを同心二重配置で設けたものであり、シリンダー筒３３ａと区画筒３３ｂとの後方側は、奥壁３３ｃでつながっている。奥壁３３ｃには、縦筒３０ｄに設けた穴Ｈｂに入り込むとともにインテイク３１の穴Ｈｇに連通する穴Ｈｉが設けられている。そして区画筒３３ｂの内側には、半球状をなすとともに吐出弁座３０ｎに着座する吐出弁体３３ｄと、螺旋状に延在して区画筒３３ｂと吐出弁体３３ｄとを相互に連結し且つ吐出弁体３３ｄに対して常時後方へ向かう付勢力を作用する弾性部３３ｅとが設けられていて、吐出弁体３３ｄ及び弾性部３３ｅによって吐出弁を構成している。更に、シリンダー筒３３ａには、シリンダー筒３３ａの内外を連通させるとともに、嵌合壁３０ｍとシリンダー筒３３ａとの間に形成される隙間を介して嵌合壁３０ｍの穴Ｈｄに連通する外気導入口Ｈｊが設けられている。
【００１９】
シリンダー部材３３の内側には、ピストン３４が設けられている。ピストン３４は、シリンダー筒３３ａの内周面に摺動可能に当接する環状の摺動部３４ａを有していて、摺動部３４ａには、前方に向けて延在するとともに前方側の端部を閉塞した周壁部３４ｂが設けられている。また、周壁部３４ｂの前方側端部には、前述の操作レバー６に係合する係合穴３４ｃが設けられている。なお、摺動部３４ａは、操作レバー６が牽曳されていない状態において、シリンダー部材３３の外気導入口Ｈｊを塞ぐ位置に設けられている。
【００２０】
このように本実施形態では、ボディ３０、インテイク３１、吸い上げ弁３２、シリンダー部材３３、ピストン３４によって、ポンプ機能を有する本体部３を構成している。
【００２１】
ノズル５は、ボディ３０に設けた円柱部３０ｇの前方側に配される縦壁５ａを有していて、縦壁５ａには、円柱部３０ｇを取り囲んで後方へ向けて延在する内側筒状壁５ｂと、内側筒状壁５ｂの径方向外側にて円筒部３０ｈの内周面に当接する外側筒状壁５ｃが設けられている。これによりノズル５は、円柱部３０ｇを中心に回動可能に保持される。なお、ノズル５はボディ３０に対して抜け止め保持（例えば板状壁３０ｆに爪部を設け、これに係合する爪部をノズル５に設ける）されている。ここで、内側筒状壁５ｂの内側には、縦壁５ａを貫く貫通穴５ｄが設けられていて、円柱部３０ｇの外周面と内側筒状壁５ｂの内周面には、それぞれ前後方向に延在する溝が設けられている。これにより、ノズル５を回転させて相互の溝が合わさることで、横筒３０ｅの内部通路と貫通穴５ｄとが連通して内容液の噴出が可能となる一方、これらの溝がずれている時は、横筒３０ｅの内部通路と貫通穴５ｄとは非連通となって、内容液の噴出を阻止することができる。また、外側筒状壁５ｃの径方向外側には、横断面形状が矩形状となる外壁５ｅが設けられていて、更に外壁５ｅの前方側には、ヒンジ５ｆを介して一体に連結するとともに、内容液を外界に向けて噴出させる噴出口５ｇを形成した衝突壁５ｈが設けられている。なお、内容液を噴出させる際には、衝突壁５ｈはヒンジ５ｆにて折り曲げられて（折曲げられた衝突壁５ｈは外壁５ｅに係合保持される）、噴出口５ｇが貫通穴５ｄの前方に位置するようにしている。
【００２２】
操作レバー６は、前壁６ａ及び前壁６ａの両側方に設けられる一対の側壁６ｂを有している。図２（ａ）〜（ｃ）に示すように、本実施形態で前壁６ａは、上部に対して下部が幅広になっていて、側壁６ｂは上部側壁６ｂ１と下部側壁６ｂ２とで構成されている。また、それぞれの側壁６ｂの上方（上部側壁６ｂ１の上方）には、ボディ３０の溝部３０ｋに揺動可能に連係する円柱状の枢支軸６ｃが設けられている。本実施形態では、枢支軸６ｃの上部に、上方に向かって上部側壁６ｂ１に近づく向きに傾く傾斜部６ｄを設けている。また、操作レバー６の中間部には、前壁６ａを貫通するとともにピストン３４との干渉を避ける逃がし穴６ｅが設けられていて、逃がし穴６ｅの内面には、係合穴３４ｃに連係する円柱状の凸部６ｆが設けられている。また、前壁６ａの裏面（後方の面）において、上部側壁６ｂ１と下部側壁６ｂ２との間には、バネ部材７を受け入れる隙間６ｇが設けられていて、隙間６ｇの下方には、前壁６ａから後方に向けて延び、下部側壁６ｂ２よりも高さが低くなるリブ６ｇ１が設けられている。更にリブ６ｇ１の下方には、対をなす下部側壁６ｂ２間をつなぐ横リブ６ｈが設けられている。なお横リブ６ｈは、操作レバー６を牽曳することにより、後述するアームの他端部をその一端部に向けて押し付ける押圧部として機能する。
【００２３】
バネ部材７は、図１に示すように操作レバー６の後方において、ボディ３０に保持される基部７ａと、前方へ向けて伸延しつつ湾曲しながら下方に向けて延在するアーム７ｂとを有するものである。本実施形態において基部７ａは、図３（ａ）〜（ｃ）に詳細に示すように、中央部を下方に向けて僅かに湾曲させた横架部材７ｃと、横架部材７ｃからそれぞれ後方に向けて突出するとともに上方に向かう突起７ｄを有する一対の爪片７ｅとを備えている。またアーム７ｂは、爪片７ｅの反対側において基部７ａに連結する一端部７ｆと、操作レバー６の隙間６ｇに後方から入り込むとともにリブ６ｇ１に当接する他端部７ｇとを有するものであり、他端部７ｇでの厚みは、他のアーム７ｂ部分よりも小さくなっている。そして、爪片７ｅを、図１に示すようにボディ３０の横筒３０ｅと嵌合壁３０ｍとの間、及び横筒３０ｅとサイド壁３０ｉとの間に差し込むことで、補強リブ３０ｊに突起７ｄを係止させて固定保持されるとともに、他端部７ｇをリブ６ｇ１に当接させて操作レバー６に対して常時前方へ向かう付勢力を付与している。
【００２４】
カバー８は、上方に設けられた頂壁８ａ、及び頂壁８ａの側方から下方に向けて延在する一対の側壁８ｂを備えている。また、詳細な説明は省略するが、ボディ３０に対して後方から前方に向けてスライドさせることで取り付けできるように構成されている。
【００２５】
上記のような構成となるトリガー式液体噴出器１によれば、操作レバー６の牽曳によってピストン３４が後方に押し込まれることで、シリンダー部材３３内の内容液は、穴Ｈｉ及び穴Ｈｇを通ってインテイク３１の上部側の内部通路内に圧入され、吸い上げ弁体３２ａを押し上げて穴Ｈｈ、穴Ｈａ、及び横筒３０ｅの内部通路を通り、貫通穴５ｄを介して噴出口５ｇから噴出される。
【００２６】
次いで操作レバー６の牽曳を停止し、バネ部材７の付勢力で操作レバー６が元の位置に戻ることでピストン３４も前方に移動し、シリンダー部材３３内が負圧化される。これによって容器Ｃ内の内容液が、パイプ４を介してインテイク３１の下部側の内部通路内に導入され、穴Ｈｆ及び穴Ｈｃを通り、吐出弁座３０ｎから離反した吐出弁体３３ｄ及び螺旋状となる弾性部３３ｅ間の隙間を介してシリンダー部材３３内に導入される。なお、ピストン３４が元の位置に戻るまでは、シリンダー部材３３に設けられた外気導入口Ｈｊが開口しているので、外気を、外気導入口Ｈｊ、嵌合壁３０ｍとシリンダー筒３３ａとの間に形成される隙間、嵌合壁３０ｍの穴Ｈｄ、及びインテイク３１の穴Ｈｅを介して容器Ｃ内に取り込むことができる。このため、噴出に従って容器Ｃ内の内容液が減少しても、外気が容器Ｃ内に取り込まれるので、負圧によって容器Ｃが変形することはない。
【００２７】
ここで、上述したバネ部材７により得られる操作レバー６の復元力について、図４、図６を参照しつつ詳細に説明する。図４は、本実施形態に係るバネ部材７の復元力を説明する図であり、図６は、本実施形態と比較するために挙げた、特許文献１に係るバネ部材の復元力を説明する図である。なお説明上、図４、図６では一部の部材を省略して示している。
【００２８】
従来の吐出器は、図６に示すように、操作レバー１００が初期姿勢（図の実線）にある場合にバネ部材２００における下端部２０７の先端は、ポケット１０２の内面下端部に対してほぼ接する位置にある。そして操作レバー１００を牽曳して、牽曳姿勢（図の仮想線）に変位させると、バネ部材２００のバネ片２０４は、図の実線の状態から仮想線の状態へ弾性変形し、下端部２０７の先端は、バネ片２０４の固定点Ｏを中心とする円弧状の軌跡Ｌａに沿って移動する。一方、ポケット１０２の内面下端部は、枢支軸１０１を中心とする円弧状の軌跡Ｌｂに沿って移動する。すなわち、牽曳によって下端部２０７の先端は、ポケット１０２の内面下端部から離れる向きに移動することになるため、バネ部材２００により得られる復元力は、バネ片２０４の回転方向への弾性力のみとなる。
【００２９】
一方、本実施形態においては、図４に示すように操作レバー６が初期姿勢（図の実線）にある場合、バネ部材７のアーム７ｂにおける他端部７ｇの先端は、操作レバー６の横リブ６ｈに接する、或いは当初から押し当てられるように設けられている。ここで、操作レバー６を牽曳して、牽曳姿勢（図の仮想線）に変位させる場合、他端部７ｇの先端は、横リブ６ｈの影響がなければ、アーム７ｂの固定点である一端部７ｆを中心として軌跡Ｌｃに沿って移動するものであるが、本実施形態では横リブ６ｈによって、枢支軸６ｃを中心とする円弧状の軌跡Ｌｄに沿って移動する。すなわち横リブ６ｈは、操作レバー６を初期姿勢から牽曳姿勢に変位させることで、他端部７ｇを一端部７ｆに向けて押し付ける押圧部として機能する。従って、バネ部材７により得られる復元力は、一端部７ｆを中心に他端部７ｇが回転方向に移動する際の回転方向の弾性力と、他端部７ｇが一端部７ｆに近づくことで得られる半径方向の弾性力の両方が加わることとなる。このため、図６に示すバネ部材２００よりも大きな弾性力が得られることになるので、樹脂量を削減しても従来と同等の復元力を得ることが可能になる。なお他端部７ｇの先端は、押圧部である横リブ６ｈによって牽曳姿勢時に押し付けられるものであればよく、初期姿勢において横リブ６ｈから離れていてもよい。
【００３０】
また、本実施形態において、バネ部材７の基部７ａは、図３に示すように横架部材７ｃ、突起７ｄ、及び爪片７ｅで構成されているので、図５に示すように矩形の板状となる従来の基部２０３よりも、樹脂量を減らすことができる。
【００３１】
上述したところは本発明の一実施形態に過ぎず、種々の変更を加えることができる。例えば、上述の実施形態では操作レバー６の枢支軸６ｃを上部側壁６ｂ１の外面に設けたが、これを上部側壁６ｂ１の内面に設け、また、本体部３のサイド壁３０ｉに形成した溝部３０ｋを、縦筒３０ｄに設けてもよい。なお、本発明に従うトリガー式液体噴出器の内部構造は、本実施形態のものに限られず、通常使用される他の構造を用いることができる。
【産業上の利用可能性】
【００３２】
本発明によれば、操作レバーに対する復元力を従来と同等に維持しつつ、使用する樹脂量を削減することができる新規のトリガー式液体噴出器を提供することができる。
【符号の説明】
【００３３】
１  トリガー式液体噴出器
２  装着キャップ
２ａ  側壁
２ｂ  ねじ部
２ｃ  上部開口
２ｄ  天壁
２ｅ  天壁テーパ部
３  本体部
４  パイプ
５  ノズル
５ａ  縦壁
５ｂ  内側筒状壁
５ｃ  外側筒状壁
５ｄ  貫通穴
５ｅ  外壁
５ｆ  ヒンジ
５ｇ  噴出口
５ｈ  衝突壁
６  操作レバー
６ａ  前壁
６ｂ  側壁
６ｂ１  上部側壁
６ｂ２  下部側壁
６ｃ  枢支軸
６ｄ  傾斜部
６ｅ  逃がし穴
６ｆ  凸部
６ｇ  隙間
６ｇ１  リブ
６ｈ  横リブ（押圧部）
７  バネ部材
７ａ  基部
７ｂ  アーム
７ｃ  横架部材
７ｄ  突起
７ｅ  爪片
７ｆ  一端部
７ｇ  他端部
８  カバー
８ａ  頂壁
８ｂ  側壁
３０  ボディ
３０ａ  連結筒部
３０ｂ  フランジ
３０ｃ  フランジテーパ部
３０ｄ  縦筒
３０ｅ  横筒
３０ｆ  板状壁
３０ｇ  円柱部
３０ｈ  円筒部
３０ｉ  サイド壁
３０ｊ  補強リブ
３０ｋ  溝部
３０ｍ  嵌合壁
３０ｎ  吐出弁座
３１  インテイク
３１ａ  フランジ
３１ｂ  隔壁
３１ｃ  吸い上げ弁座
３２  吸い上げ弁
３２ａ  吸い上げ弁体
３２ｂ  弾性部
３３  シリンダー部材
３３ａ  シリンダー筒
３３ｂ  区画筒
３３ｃ  奥壁
３３ｄ  吐出弁体
３３ｅ  弾性部
３４  ピストン
３４ａ  摺動部
３４ｂ  周壁部
３４ｃ  係合穴
１００  操作レバー
１０１  枢支軸
１０２  ポケット
２００  バネ部材
２０１、２０２  固定部
２０３  基部
２０４  バネ片
２０５、２０６  湾曲細片
２０７  下端部
Ｃ  容器
Ｈａ〜Ｈｉ  穴
Ｈｊ  外気導入口
【図１】
2015047552.tif 000003
【図２】
2015047552.tif 000004
【図３】
2015047552.tif 000005
【図４】
2015047552.tif 000006
【図５】
2015047552.tif 000007
【図６】
2015047552.tif 000008